(57)【要約】【課題】本体内に備えた送風ファンにより外気を導入できるようにし、且つ換気用のダクトに備えた補助ファンにより室内空気を換気できるようにした換気装置を備えた空気調和機を提供する。【解決手段】ベース６の吸気孔６ａと後部熱交換器１１との間に、一端に接続口２０を備え、他端に連通口２１を備え、ダクト１４により導入された外気を前記後部熱交換器１１へ導くディフューザ２３を設け、前記ダクト１４の他端に開口面積を拡開させる拡開部１７を備えたノズル１８を、前記接続口２０から前記ノズル１８に到る流通路を開閉する開閉手段を夫々設けると共に、前記流通路に排気用の補助ファン４０を設けてなり、外気導入時に、前記補助ファン４０を停止し前記流通路を開放して送風ファン１３で外気を導入できるようにし、排気時に、前記送風ファン１３を停止し前記流通路を開放して前記補助ファン４０で室内空気を排気できるようにした。【選択図】  図１
2004286304.tif 000002
【特許請求の範囲】
【請求項１】
被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付けると共に、前記吸気孔と前記後部熱交換器との間に、一端に前記吸気孔に接続される接続口を備え、他端に同接続口よりも大径で形成された連通口を備え、前記ダクトにより導入された外気を前記後部熱交換器へ導くディフューザを設けると共に、前記ダクトの他端に開口面積を拡開させる拡開部を備えたノズルを設け、前記接続口から前記ノズルに到る流通路を開閉する開閉手段を設けると共に、前記ノズル、前記ダクト、前記ダクトフランジまたは前記ディフューザの何れかに排気用の補助ファンを設けてなり、
外気導入時に、前記補助ファンを停止すると共に、前記開閉手段により前記流通路を開放して前記送風ファンにより外気を導入できるようにし、排気時に、前記送風ファンを停止すると共に、前記開閉手段により前記流通路を開放して前記送風ファンにより室内空気を排気できるようにしてなることを特徴とする空気調和機。
【請求項２】
前記開閉手段が、前記流通路をなす接続口に回動自在に支持された開閉用の弁体からなり、同弁体が前記送風ファンまたは前記補助ファンによる負圧により揺動して前記接続口が開放されるようにしてなることを特徴とする請求項１に記載の空気調和機。
【請求項３】
前記開閉手段が、前記流通路をなすダクトに回動自在に支持された開閉用の弁体からなり、同弁体が前記送風ファンまたは前記補助ファンによる負圧により揺動して前記ダクトが開放されるようにしてなることを特徴とする請求項１に記載の空気調和機。
【請求項４】
前記開閉手段が、前記流通路をなすノズルに回動自在に支持された開閉用の弁体からなり、同弁体が前記送風ファンまたは前記補助ファンによる負圧により揺動して前記ノズルが開放されるようにしてなることを特徴とする請求項１に記載の空気調和機。
【発明の詳細な説明】
【０００１】
【発明の属する技術分野】
本発明は、空気調和機に係わり、より詳細には、本体内に備えた送風ファンにより外気を導入できるようにし、且つ換気用のダクトに備えた補助ファンにより室内空気を換気できるようにした換気装置の構造に関する。
【０００２】
【従来の技術】
従来の外気導入装置を備えた空調機器として、室温の制御と本体に外気を導入する制御とを関連づけることで本体の運転中に室内の空気の換気が行なえ、且つ室温の制御が効率的に行なえるものを提供するため、換気用ファンによって本体内部に吸い込まれた外気がクロスフローファンにより本体の空気吹出口から吹き出されるので室内の換気が行なえ、また、クロスフローファンの回転速度や室温と設定温度との差に応じて、換気用ファンの回転速度を制御することで、室温の制御と本体に外気を導入する制御とを関連づけているものがあり、外気を導入する換気ダクトの開口部近傍に換気用ファンを備えた構成が図示されていた（例えば、特許文献１参照。）。
【０００３】
そして、一時的に換気用ファンを逆回転させることで、室内の空気を強制的に室外に送出（排気）することにより、換気効率を向上させることができるという効果を奏するように記載されたいた。
【０００４】
しかしながら、クロスフローファンを起動することによって、空気吸込口から室内の空気を吸い込むのと同時に、換気ダクトを通じて外気を導入できるようになっていることから、例えばその状態で換気用ファンを逆回転させた場合、空気吸込口から本体内に吸い込まれた室内の空気は、クロスフローファンによって空気吹出口に送出されるようになる一方、換気用ファンによって室外に送出されるようになるため、流通路が定まらなくなって送風効率が低下してしまうと共に騒音の原因になってしまうおそれがあった。
【０００５】
【特許文献１】
特開２００２−１１５８８８号公報（第１頁〜第２頁または第１０頁、第２図）
【０００６】
【発明が解決しようとする課題】
本発明においては、上記の問題点に鑑み、本体内に備えた送風ファンにより外気を導入できるようにし、且つ換気用のダクトに備えた補助ファンにより室内空気を換気できるようにした換気装置を備えた空気調和機を提供することを目的とする。
【０００７】
【課題を解決するための手段】
本発明は、上記課題を解決するため、被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付けると共に、前記吸気孔と前記後部熱交換器との間に、一端に前記吸気孔に接続される接続口を備え、他端に同接続口よりも大径で形成された連通口を備え、前記ダクトにより導入された外気を前記後部熱交換器へ導くディフューザを設けると共に、前記ダクトの他端に開口面積を拡開させる拡開部を備えたノズルを設け、前記接続口から前記ノズルに到る流通路を開閉する開閉手段を設けると共に、前記ノズル、前記ダクト、前記ダクトフランジまたは前記ディフューザの何れかに排気用の補助ファンを設けてなり、
外気導入時に、前記補助ファンを停止すると共に、前記開閉手段により前記流通路を開放して前記送風ファンにより外気を導入できるようにし、排気時に、前記送風ファンを停止すると共に、前記開閉手段により前記流通路を開放して前記送風ファンにより室内空気を排気できるようにしてなる構成となっている。
【０００８】
また、前記開閉手段が、前記流通路をなす接続口に回動自在に支持された開閉用の弁体からなり、同弁体が前記送風ファンまたは前記補助ファンによる負圧により揺動して前記接続口が開放されるようにしてなる構成となっている。
【０００９】
また、前記開閉手段が、前記流通路をなすダクトに回動自在に支持された開閉用の弁体からなり、同弁体が前記送風ファンまたは前記補助ファンによる負圧により揺動して前記ダクトが開放されるようにしてなる構成となっている。
【００１０】
更に、前記開閉手段が、前記流通路をなすノズルに回動自在に支持された開閉用の弁体からなり、同弁体が前記送風ファンまたは前記補助ファンによる負圧により揺動して前記ノズルが開放されるようにしてなる構成となっている。
【００１１】
【発明の実施の形態】
以下、本発明の実施の形態を図面に基づいた実施例として詳細に説明する。
図１は本発明による空気調和機の説明図で、（Ａ）は断面図、（Ｂ）は要部断面図であり、図２は本発明による空気調和機の要部説明図で、（Ａ）は斜視図、（Ｂ）はディフューザ背面の接続口を開放した状態を示す図、（Ｃ）は接続口を第一スライド板で閉塞した状態を示す図であり、図３は本発明による空気調和機の要部説明図で、（Ａ）はディフューザ上面の通気穴を示す図、（Ｂ）は通気穴を第二スライド板で開閉する状態を示す図、（Ｃ）は通気穴を開閉する第二スライド板を着脱する状態を示す図であり、図４は第一スライド板および第二スライド板を連結した状態を示す断面図であり、図５はディフューザ背面の接続口を第一回動板で開閉する状態を示す説明図で、（Ａ）は接続口を閉塞した状態を示す図、（Ｂ）は接続口を開放した状態を示す図であり、図６はディフューザ上面の通気穴を第二回動板で開閉する状態を示す説明図で、（Ａ）は通気穴を閉塞した状態を示す図、（Ｂ）は通気穴を開放した状態を示す図、（Ｃ）は第二回動板の側面図、（Ｄ）は第二回動板の斜視図であり、図７はディフューザの斜視図であり、図８はディフューザ背面の接続口および、またはディフューザ上面の通気穴を開閉ベルトで開閉する一例を示す説明図で、（Ａ）は開放した状態を示す正面図、（Ｂ）は開放した状態を示す側面図、（Ｃ）は閉塞した状態を示す正面図、（Ｄ）は閉塞した状態を示す側面図であり、図９はディフューザ背面の接続口および、またはディフューザ上面の通気穴を開閉ベルトで開閉する他の例を示す説明図で、（Ａ）は閉塞した状態を示す正面図、（Ｂ）は閉塞した状態を示す側面図、（Ｃ）は開放した状態を示す正面図、（Ｄ）は開放した状態を示す側面図であり、図１０はディフューザ上面の通気穴および、またはディフューザ背面の接続口を開閉板で開閉する説明図で、（Ａ）は通気穴を閉塞し接続口を開放した状態を示す断面図、（Ｂ）は通気穴を開放し接続口を半開した状態を示す断面図であり、図１１はディフューザ背面の接続口を弁体で開閉する説明図で、（Ａ）は接続口を閉塞した状態を示す断面図、（Ｂ）は接続口を開放した状態を示す断面図である。
【００１２】
本発明による空気調和機は、図で示すように、被空調室の壁面Ｂにねじ締めされることによって固着され、上端部に断面略Ｌ字状の係止爪１を備えた据付板２により本体Ａが据付設置されるようになっている。
【００１３】
前記本体Ａは、背面上部に前記据付板２の係止爪１に係脱可能に係止される係止部３を備え、背面下部に接続配管４を収容する収容部５を備えたベース６と、同ベース６の前部に装着され、上部に吸込口７を備え下部に吹出口８を備えた前面パネル９と、前記吸込口７と前記吹出口８とを結ぶ空気通路に設けられ、前部熱交換器１０と後部熱交換器１１とで逆Ｖ字状に形成された熱交換器１２と、送風ファン１３とからなる構成になっている。
【００１４】
そして、前記壁面Ｂには壁孔Ｃが設けられ、前記据付板２には前記壁孔Ｃに対応する連通孔２ａが設けられ、前記後部熱交換器１１の風上側となる前記ベース６の背面には、前記連通孔２ａに対応する吸気孔６ａが設けられ、ねじ孔を備えた前記連通孔２ａの周縁には、前記壁孔Ｃを挿通してダクト１４の一端に接続される接続部を備えたダクトフランジ１５がねじ締めされることによって取り付けられている。
【００１５】
同時に、前記据付板２および前記ベース６の間には、前記連通孔２ａおよび前記吸気孔６ａを連通した状態でシールするシール部材１６が介装されるように構成されている。
【００１６】
また、前記ダクト１４の他端には、開口面積を拡開させる拡開部１７を備えたノズル１８が設けられ、同ノズル１８の開口部には集塵用のフィルタ１９が設けられ、前記吸気孔６ａと前記後部熱交換器１１との間には、一端に前記吸気孔６ａに接続される接続口２０を備え、他端に同接続口２０よりも大径で形成された前記後部熱交換器１１に連通する連通口２１を備えると共に、同連通口２１には同後部熱交換器１１の伝熱管１１ａ  に係止する係止爪２２を一体に形成したディフューザ２３が設けられた構成になっている。
【００１７】
前記係止爪２２は、図１（Ａ）および図１（Ｂ）と、図２（Ａ）とで示すように、前記後部熱交換器１１に対し前記ディフューザ２３を上方から組み付けて前記伝熱管１１ａ  に係止されるように形成されているので、前記ベース６に設けた吸気孔６ａと前記後部熱交換器１１との間に、外気導入用の前記ディフューザ２３を容易に、且つ正確に取り付けることができるようになっている。
【００１８】
これにより、前記ノズル１８から外気を導入する際、同ノズル１８の開口部に前記フィルタ１９が設けられていても、同ノズル１８は前記拡開部１７を備えることにより開口面積が拡開されていることから、外気の吸込量を減少させないよう効果的に導入できるようになると共に、前記ダクト１４を経て導き入れた外気を前記ディフューザ２３から前記後部熱交換器１１へ効率よく流通させることができるようになっている。
【００１９】
また、前記ノズル１８が前記拡開部１７を備えることによってその開口面積が拡開されたことにより、該箇所に室内の空気を排気するための補助ファン４０を取り付けやすくした構造になっており、前記送風ファン１３を起動することによって、前記吸込口７から本体Ａ内に室内の空気を吸い込めると共に、前記ダクト１４から外気を導入できるようになり、また、前記送風ファン１３を停止して前記補助ファン４０を起動することによって、前記吸込口７から吸い込まれた室内の空気を外部に排気できるようになっている。
【００２０】
なお、前記補助ファン４０は、図示はしないが前記ダクト１４、前記ダクトフランジ１５もしくは前記ディフューザ２３の何れかに設けるようにしてもよい。
【００２１】
そして、前記ディフューザ２３には、その上面２３ｂ  に前記吸込口７を臨ませた通気穴２４を設けると共に、同通気穴２４および前記接続口２０から前記ノズル１８に到る流通路を開閉するための開閉手段を設けてなる構成となっている。
【００２２】
これによって、前記開閉手段により前記通気穴２４を開放した際、前記送風ファン１３によって前記吸込口７から吸い込まれた室内空気の一部を、前記通気穴２４から前記ディフューザ２３に導入したのち効率よく前記後部熱交換器１１に導出できるようになり、また、前記接続口２０から前記ノズル１８に到る流通路を開放した際、前記送風ファン１３によって前記ノズル１８から前記ダクト１４を経て前記ディフューザ２３に導入した外気を前記後部熱交換器１１に向けて導出できるようになり、空気調和機の運転と同時に、室内空気の換気を行なえるようになっている。
【００２３】
同時に、前記開閉手段により前記接続口２０から前記ノズル１８に到る流通路を開放した際、前記送風ファン１３を停止して前記補助ファン４０を起動することにより、前記吸込口７から吸い込まれた室内の空気を排気できるようになり、また、前記通気穴２４を開放し、前記送風ファン１３を停止して前記補助ファン４０を起動することにより、前記吸込口７から吸い込まれた室内の空気を更に排気できるようになる。
【００２４】
以上の構成により、次にその動作について説明する。
前記ディフューザ２３の背面２３ａ  に設けられ、前記ダクト１４に接続される前記接続口２０を開閉するための開閉手段が、図２（Ａ）乃至図２（Ｃ）で示すように、前記接続口２０を前記ディフューザ２３の背面に沿ってスライドすることにより開閉する第一スライド板２５からなる構成にすることによって、空気調和機の運転と同時に室内空気の換気を行なう場合には、図２（Ｂ）で示すように前記接続口２０を開放して、前記ノズル１８から前記ダクト１４を経て前記ディフューザ２３に外気を導入できるようにし、室内空気の換気を行なわない場合には、図２（Ｃ）で示すように前記接続口２０を閉塞すればよい。
【００２５】
なお、前記第一スライド板２５には、例えばステッピングモータからなる駆動装置ａが連係されることにより、換気運転の必要性に応じて前記接続口２０を自動的に開閉できるようになる。
【００２６】
また、前記ディフューザ２３の上面２３ｂ  に設けられ、前記吸込口７を臨ませた前記通気穴２４を開閉するための開閉手段が、図３（Ａ）乃至図３（Ｃ）で示すように、前記通気穴２４を前記ディフューザ２３の上面２３ｂ  に沿ってスライドすることにより開閉する開閉孔２７を備えた第二スライド板２６からなる構成にすることによって、図２（Ｂ）の実線で示すように、前記開閉孔２７の位置をずらすことにより前記通気穴２４を閉塞する一方、破線で示すようにスライドさせて前記通気穴２４に前記開閉孔２７を連通させることにより、前記吸込口７から吸い込まれた室内空気の一部を前記ディフューザ２３に導入できるようにしている。
【００２７】
なお、前記通気穴２４は、前記ディフューザの左右方向に断続的に複数形成される一方、前記複数の通気穴に対応して、前記第二スライド板には前記開閉孔が複数形成されているので、前記通気穴２４を開放した際、同通気穴２４から吸い込まれた室内空気が前記後部熱交換器１１の左右方向に対し均等に分布して導出されるようになる。
【００２８】
また、前記第二スライド板２６は、例えばステッピングモータからなる駆動装置ａが連係されることによって自動的にスライドさせることができるので、必要に応じて前記通気穴２４を正確に開閉できるようになり、また着脱時には、例えば図３（Ｃ）で示すように前記ディフューザ２３の上面２３ｂ  の側部から装着したり取り外すようにすればよい。
【００２９】
また、前記接続口２０および前記通気穴２４を開閉するための開閉手段が、図４で示すように、前記第一スライド板２５および前記第二スライド板２６を連結して断面Ｌ字状に形成されたスライド板２８からなる構成にし、同スライド板２８に駆動装置ａを連係させることにより、前記接続口２０および前記通気穴２４を同時に開閉できるようにしてもよい。
【００３０】
また、前記接続口２０を開閉するための開閉手段が、図５（Ａ）および図５（Ｂ）で示すように、同接続口２０に対応して前記ディフューザ２３の背面２３ａ  に沿うように支軸部２９ａ  によって回動自在に軸支され、駆動装置ａを連係させた第一回動板２９からなる構成にしてもよい。
【００３１】
その場合、前記第一回動板２９を回動させることによって前記接続口２０を開放した際、図５（Ｂ）で示すように、前記第一回動板２９の一部２９ｂ  が前記ディフューザ２３の背面２３ａ  からはみ出してしまったり、前記接続口２０に突出してしまったりしないよう該箇所２９ｂ  を切除しておけばよい。
【００３２】
または、前記通気穴２４を開閉するための開閉手段が、図６（Ａ）乃至図６（Ｄ）で示すように、同通気穴２４に対応して前記ディフューザ２３の上面２３ｂ  に支軸部３０ａ  により回動自在に軸支された第二回動板３０からなる構成にしてもよい。
【００３３】
この場合、前記第二回動板３０が、これに連続形成された連結片３１片を有して複数設けられると共に、これら複数の第二回動板３０が、前記連結片３１片および前記連結部３１ａ  を介した前記連結部材３２で連結された構成にすることにより、図７で示すように、とくに前記ディフューザ２３の上面２３ｂ  の左右方向に大きく形成された前記通気穴２４を開閉できるようになるので、前記吸込口７から吸い込まれた室内空気の一部が、前記通気穴２４を効率よく流通して前記ディフューザ２３から前記後部熱交換器１１に効果的に導出されるようになる。
【００３４】
また、前記複数の第二回動板３０により前記通気穴２４を開閉した際、図６（Ａ）および図６（Ｂ）のｂ部およびｃ部で示すように、前記連結部材３２の一端または他端が、前記ディフューザ２３の一側面２３ｃ  または他側面２３ｃ  に当接して前記第二回動板３０の回動範囲を規制するようになっているので、前記第二回動板３０を位置決めさせることができて前記通気穴２４を正確に開閉できるようになっている。
【００３５】
なお、前記第二回動板３０は、前記第一回動板２９と同様に駆動装置ａが連係されて自動的に回動できるようになっており、また、図６（Ｃ）および図６（Ｄ）で示すように、前記支軸部３０ａ  を構成する支軸３０ａ’と、前記連結部３１ａ  を構成する支軸孔３１ａ’を備えて回動自在に軸支され、且つ前記連結部材３２により連動自在に連結されるようになっている。
【００３６】
また、前記接続口２０を開閉する開閉手段が、図８（Ａ）乃至図８（Ｄ）で示すように、同接続口２０に対応する透孔３３を備え、前記ディフューザ２３の背面に駆動装置ｂが連係されたベルト車３４により巻上自在に巻架された開閉ベルト３５からなる構成にしてもよい。
【００３７】
また同様に、前記通気穴２４を開閉する開閉手段が、同通気穴２４に対応する透孔３３を備え、前記ディフューザ２３の背面に駆動装置ｂが連係されたベルト車３４により巻上自在に巻架された開閉ベルト３５からなる構成にしてもよい。
【００３８】
また、前記ベルト車３４が、前記接続口２０に対応して前記開閉ベルト３５を巻架するように対をなして配置され、または、前記通気穴２４に対応して前記開閉ベルト３５を巻架するように対をなして配置されている。
【００３９】
これにより、前記通気穴２４または前記接続口２０を開放する際、図８（Ａ）および図８（Ｂ）で示すＡ部のように、これら通気穴２４または接続口２０に前記透孔３３を連通させることによって、該箇所を開放して矢印Ｂで示すように空気流が流通できるようになる一方、前記通気穴２４または前記接続口２０を閉塞する際、図８（Ｃ）および図８（Ｄ）で示すＡ’部のように、前記ベルト車３４で前記開閉ベルト３５の透孔３３を前記ベルト車３４の位置に巻き上げることにより、同開閉ベルト３５で閉塞できるようになる。
【００４０】
または、図９（Ａ）乃至図９（Ｄ）で示すように、駆動装置ｂが連係された前記ベルト車３４が、前記通気穴２４または前記接続口２０の一側部Ｂに前記開閉ベルト３５の一端を巻き上げるように設けられる一方、他側部Ｃに、前記開閉ベルト３５の他端を伸縮自在に支持するためのばね３６からなる支持部材が設けられるようにしてもよい。
【００４１】
これにより、図９（Ａ）および図９（Ｂ）で示す状態で、前記開閉ベルト３５により前記通気穴２４または前記接続口２０を閉塞できるようになり、また、図９（Ｃ）および図９（Ｄ）で示す状態に前記開閉ベルト３５の一端から巻き上げることにより開放できるようになる。
【００４２】
前記通気穴２４および前記接続口２０を開閉する開閉手段が、図１０（Ａ）および図１０（Ｂ）で示すように、前記通気穴２４の後端部に支軸３７ａ  により回動自在に軸支され、駆動装置ｃが連係された開閉板３７からなり、上方に回動することにより前記通気穴２４が閉塞される一方、下方に回動することにより前記通気穴２４が開放されると共に、前記接続口２０が全閉または半閉されるようにしてもよい。
【００４３】
また、前記接続口２０から前記ノズル１８に到る流通路を開閉する開閉手段が、図１１（Ａ）および図１１（Ｂ）で示すように、前記接続口２０、前記ダクト１４または前記ノズル１８に支軸３９により回動自在に支持された開閉用の弁体３８からなり、同弁体３８が前記送風ファン１３の負圧により揺動して前記接続口２０が開放されるようにしてもよい。
【００４４】
なお、前記弁体３８は、前記接続口２０、前記ダクト１４または前記ノズル１８の何れかに設けることによって前記流通路を開閉できるようにすればよい。
【００４５】
【発明の効果】
以上説明したように、本発明によれば、本体内に備えた送風ファンにより外気を導入できるようにし、且つ換気用のダクトに備えた補助ファンにより室内空気を換気できるようにした換気装置を備えた空気調和機となる。
【図面の簡単な説明】
【図１】本発明による空気調和機の説明図で、（Ａ）は断面図であり、（Ｂ）は要部断面図である。
【図２】本発明による空気調和機の要部説明図で、（Ａ）は斜視図であり、（Ｂ）はディフューザ背面の接続口を開放した状態を示す図であり、（Ｃ）は接続口を第一スライド板で閉塞した状態を示す図である。
【図３】本発明による空気調和機の要部説明図で、（Ａ）はディフューザ上面の通気穴を示す図であり、（Ｂ）は通気穴を第二スライド板で開閉する状態を示す図であり、（Ｃ）は通気穴を開閉する第二スライド板を着脱する状態を示す図である。
【図４】本発明による空気調和機の第一スライド板および第二スライド板を連結した状態を示す断面図である。
【図５】本発明による空気調和機のディフューザ背面の接続口を第一回動板で開閉する状態を示す説明図で、（Ａ）は接続口を閉塞した状態を示す図であり、（Ｂ）は接続口を開放した状態を示す図である。
【図６】本発明による空気調和機のディフューザ上面の通気穴を第二回動板で開閉する状態を示す説明図で、（Ａ）は通気穴を閉塞した状態を示す図、（Ｂ）は通気穴を開放した状態を示す図、（Ｃ）は第二回動板の側面図であり、（Ｄ）は第二回動板の斜視図である。
【図７】本発明による空気調和機のディフューザの斜視図である。
【図８】本発明による空気調和機のディフューザ背面の接続口および、またはディフューザ上面の通気穴を開閉ベルトで開閉する一例を示す説明図で、（Ａ）は開放した状態を示す正面図であり、（Ｂ）は開放した状態を示す側面図であり、（Ｃ）は閉塞した状態を示す正面図であり、（Ｄ）は閉塞した状態を示す側面図である。
【図９】本発明による空気調和機のディフューザ背面の接続口および、またはディフューザ上面の通気穴を開閉ベルトで開閉する他の例を示す説明図で、（Ａ）は閉塞した状態を示す正面図であり、（Ｂ）は閉塞した状態を示す側面図であり、（Ｃ）は開放した状態を示す正面図であり、（Ｄ）は開放した状態を示す側面図である。
【図１０】本発明による空気調和機のディフューザ上面の通気穴および、またはディフューザ背面の接続口を開閉板で開閉する説明図で、（Ａ）は通気穴を閉塞し接続口を開放した状態を示す断面図であり、（Ｂ）は通気穴を開放し接続口を半開した状態を示す断面図である。
【図１１】本発明による空気調和機のディフューザ背面の接続口を弁体で開閉する説明図で、（Ａ）は接続口を閉塞した状態を示す断面図であり、（Ｂ）は接続口を開放した状態を示す断面図である。
【符号の説明】
１  係止爪
２  据付板
２ａ  連通孔
３  係止部
４  接続配管
５  収容部
６  ベース
６ａ  吸気孔
７  吸込口
８  吹出口
９  前面パネル
１０  前部熱交換器
１１  後部熱交換器
１１ａ  伝熱管
１１ｂ  フィン
１２  熱交換器
１３  送風ファン
１４  ダクト
１５  ダクトフランジ
１６  シール部材
１７  拡開部
１８  ノズル
１９  フィルタ
２０  接続口
２１  連通口
２２  係止爪
２３  ディフューザ
２３ａ  背面
２３ｂ  上面
２３ｃ  側面
２３ｄ  底面
２４  通気穴
２５  第一スライド板
２６  第二スライド板
２７  開閉孔
２８  スライド板
２９  第一回動板
３０  第二回動板
３０ａ  支軸部
３０ａ’  支軸
３１  連結片
３１ａ  連結部
３１ａ’  支軸孔
３２  連結部材
３３  透孔
３４  ベルト車
３５  開閉ベルト
３６  ばね（支持部材）
３７  開閉板
３７ａ  支軸
３８  弁体
３９  支軸
４０  補助ファン
Ａ  本体
Ｂ  壁面
Ｃ  壁孔
ａ，ｂ，ｃ  駆動装置
【図１】
2004286304.tif 000003
【図２】
2004286304.tif 000004
【図３】
2004286304.tif 000005
【図４】
2004286304.tif 000006
【図５】
2004286304.tif 000007
【図６】
2004286304.tif 000008
【図７】
2004286304.tif 000009
【図８】
2004286304.tif 000010
【図９】
2004286304.tif 000011
【図１０】
2004286304.tif 000012
【図１１】
2004286304.tif 000013